(57)【特許請求の範囲】
【請求項１】
円筒、三角筒、四角筒、六角筒、多角筒等の筒体からなる本体の上部端に釣針を収容する釣針保管部を設け、本体筒体の外周を枝ハリスのはわせ部とし、本体下端部に径が下方に行くに従い小さくなるようなくびれ部を作り、該くびれ部を幹糸を巻き取る糸巻部にしたことを特長とする幹糸、糸巻部の付いた複数釣針、枝ハリス、幹糸セットの固定式糸巻。
【請求項２】
請求項１記載の幹糸、糸巻部の付いた複数釣針、枝ハリス、幹糸セットの固定式糸巻において、くびれ部の下部に突起部を有する糸止部を設け、突起部は糸止部周囲に、一個ないし任意の数の幹糸の端を止める為の円柱、角柱、多角柱等の突起で構成され、突起の上部より切れ目を入れたうえ、突起に横穴を削穴し、先端及び終端を切れ目に入れるか又は横穴にハリスを通し、一回転させ引っ張って、固定させることの出来る糸止部の付いた、複数釣針、枝ハリス、幹糸セットの固定式糸巻。
【発明の詳細な説明】
【発明技術分野】
【０００１】本発明はプラスチック、竹、木、その他樹脂等の素材の活用が出来る、複数釣針、枝ハリス、幹糸セット保管が出来る固定式糸巻。
【背景技術】
【０００２】釣針が一個の場合のハリスの糸巻は市場に色々あるものの、複数の針、枝ハリス、幹糸が付いている複数釣針については、枝ハリスの部分が分岐して規則的に糸巻することが困難なであった為、円盤状の物が出ているが使用上、取り扱いが今一不便である為、釣り人の考えにて独自の物を使用している。特に市場において販売されている複数釣針の枝ハリス、幹糸の糸巻は紙で出来た糸巻で、一度その物より使用すると元に戻すことが困難な糸巻であります。この発明に当たっては公開特許、実用新案広報提出されておりますが、特開２００２−２０９４９０は釣針掛け分部の材質がウレタン等非繊維質性の弾力性材料を使用するとありますが釣針の刺し換えの繰り返しにより破損し易い。又糸巻部が平面な為枝ハリスが滑り、糸が絡み合う可能性があり又実開平４−１２９７７９は釣針保管部が円上の格子になっている為曲がりやすく、又Ｕ字の糸端固定部は三日月状の空間の為破損し易い又数多くの複数釣針ハリスを保管出来ると有りますが取り外しは最後に巻き取った物から出さないと枝ハリスがある為、自由に取りだし出来ないなど不便である及び実開平２−４９８７４は糸巻部分の位置が不明確で糸巻の強さにより固定される為、移動し易く枝ハリスどうしのからみの発生する可能性がありる上、又複数の仕掛けを重ねて巻くことが出来ますが枝ハリスが阻害して、最後の巻き取りした分から出ないと使用できなくなると言う弊害が生じます又枝ハリスが絡み合い取り扱いし難くなる等問題を含んでいる。これらを解決する為、特に今発明は複数釣針の付いた枝ハリス、幹糸を規則的に糸巻する事が出来ることの特徴を持ったものです。取扱いが簡単で、安全性があり、従来のものより、それぞれの問題を更に発展させた物で、釣の効率化に役立つものです。魚種の拡大に伴い複数釣針の使用が多くなるも、糸巻、洗浄の上、保管する事が困難になっているので、それらの問題解決を図ることが出来る糸巻です。
記
【公開特許広報】
特開２００２−２０９４９０の参照
（５１）Ｉｎｔ．ｃ１．５    Ａ０１Ｋ９７／０６
【公開実用新案広報】
実開平４−１２９７７９の参照
（５１）Ｉｎｔ．ｃ１．５    Ａ０１Ｋ９７／０６
【公開実用新案広報】
実開平２−４９８７４参照
（５１）Ｉｎｔ．ｃ１．５    Ａ０１Ｋ９７／０６
【発明の開示】
【発明が解決しようとする課題】
【０００３】趣味の釣道具に於いて従来は複数の針が付いている枝ハリス、幹糸の糸巻保管については枝ハリスと幹糸が分岐されている為、規則的に釣針、枝ハリス、幹糸の糸巻する事が困難であったので、従来より簡単、安全に糸巻及び洗浄保管できるように改善出来る様にした発明である。
【課題を解決するための手段】
【０００４】円筒、三角筒、四角筒、六角筒、多角筒等に類するものを本体筒として、本体円筒類の上部の円周に一個ないし任意の数のＶ字型、山谷型、凸凹型等の切り込みを入れて、複数釣針の付いた枝ハリスの釣針を収容する釣針保管部とし、釣針保管部よりの空間を枝ハリスのはわせ部とし、はわせ部の直ぐ下にくびれを逆傾斜に作り、幹糸、糸巻部にし、幹糸の糸巻きをする。幹糸、糸巻部の直ぐ下の円周、角周等の空間に一個ないし任意の数の幹糸の両端を止める為の、円柱、角柱、多角柱類に上面より切れ目を入れたうえ、円柱類に横穴を削穴した部材、円柱切れ目、横穴付き幹糸、糸止めを設け、幹糸の先端及び終端のハリス又はスナップを止める、幹糸、糸止めとして工作し、幹糸の先端及び終端を切れ目に入れるか又は横穴にハリスを通し、一回転させ引っ張って、固定させることの出来るもので、複数釣針、枝ハリス、幹糸のセットを糸の流れに添った形で使用でき、簡単、綺麗に糸巻出来、従来の問題を改善できた糸巻です。本体全体の長さは複数釣針と枝ハリスの長さを釣針保管部より幹糸、糸巻までと同等の長さに合わせた物で、直径及び一辺は釣針の数、幹糸の長さにより任意の大きさにすること出来る、固定化した、複数釣針、枝ハリス、幹糸セットの固定式糸巻。
【発明の効果】
【０００５】現在趣味に於いての複数釣針の保管は釣り人の保管が困難な為に一回のみ使用で廃棄されてケースが多く無駄であった。又複数の釣針が付いた仕掛けは釣針の数が多い為、針先による怪我が発生し易く危険であったが、釣針の先が円筒類の内側を向いている為、安全に管理することが出来る上、今回の円筒、角筒、多角筒類の複数釣針糸巻は釣り人の複数釣針の枝ハリス、幹糸の糸巻き作業が簡単、容易で、洗浄が簡単に行え、釣糸、針の有効活用が出来るようになり、釣の楽しみを倍加させる物であります。又漁業に於いての釣針の保管は非常に手間のかかるものであり、今回の発明は円筒類の長さ及び直径又は一辺を変えれば漁業用としての使用も可能であり、複数釣針の糸巻の機械化も可能と考えられる画期的な発明であります。
【発明の実地するための最良の形態】
【０００６】図６に示す実施例に基づいて本発明の実施態様を説明する。始めに複数の釣針が付いた幹糸８の先端１０を円柱切れ目、横穴付き幹糸、糸止め５のいずれかに糸止めし、枝ハリス７の一番目の結び目迄で幹糸、糸巻部４に巻き、結び目の枝ハリス７をはわせ部３を通し、釣針６を上部釣針保管部１へ持って行き、釣針保管部１の切れ目の部分に針先を内側向きにして引っ掛けるとともに、枝ハリス７の先頭結び目から次の枝ハリス７の結び目が付いている部分までの幹糸８を、幹糸、糸巻部４に巻き取り、二番目結び目の枝ハリス７を直角に、はわせ部３を通し、上部釣針保管部１に釣針を釣針保管部１の切れ目の部分に針先を内側にして引っ掛けると、同時に枝ハリス７の結び目より幹糸８を次の結び目まで幹糸８を幹糸、糸巻部４に巻き取る。これを繰り返し行い釣針６、枝ハリス７、幹糸８が綺麗に糸巻き取りする事が出来る。最後に幹糸８の終端１１を近くの円柱切れ目、横穴付き糸止め５のいずれかに糸止めし、そのまま水道水等で洗浄し、乾燥させ、錆を防ぐことの出来る円筒類本体の釣針、枝ハリス、幹糸の固定式糸巻である。この中で円柱切れ目、横穴付き幹糸、糸止め５の使用方法は横穴を使用の場合、幹糸８の両端いずれでも横穴に挿入し、円柱類を一回転させ更に穴に挿入し軽く引っ張り固定する。切れ目を使用した場合は切れ目の円柱類に幹糸８の両端いずれでも円柱類に１回転させてから幹糸８を切れ目に挿入して固定させる又スナップ使用時は横穴にスナップ９のピンを挿入させ固定するので、いずれも外れ難く、解除しやすい物である。この糸巻は枝ハリス７と幹糸８が分離している為、糸絡みがなく又釣針６の先が円筒類内側に向きになる為に引っ掛けることが少なくなり、安全に使用することが出来る発明である。保管した複数釣針ハリスの使用時の糸止めの解除は円柱切れ目、横穴付き糸止め５の横穴を使用した場合、幹糸８の終端１１を止めた円柱切れ目、横穴付き糸止めの横穴５の手前の糸を軽く引き外し、幹糸、糸巻部４に巻かれた幹糸８を順次ほどいて、緩んだ枝ハリス７に付いている釣針６を、釣針保管部１より外して使用する。スナップ９を使用して止めた場合は円柱切れ目、横穴付き糸止めの横穴５より終端スナップ９を外してから幹糸、糸巻部４に巻いた幹糸を外し、順次ほどいて、緩んだ枝ハリス７に付いている釣針６を釣針保管部１より外し、使用する又切れ目を使用した場合は糸止切れ目より幹糸８の終端１１を外し、幹糸８を幹糸、糸巻４より順次ほどいて、緩んだ枝ハリスについている釣針６を釣針保管部１より外して行き使用する。
【産業上の利用可能性】
【０００７】魚釣りに於ける複数釣針、枝ハリス、幹糸セットの保管、管理は趣味、漁業に於いては重要な道具でありますがその保管については旧態依然としあまり改善の進展が少なく、商品化は限られておりました。今回の発明は使い易い複数釣針、枝ハリス、幹糸セットを管理する道具とし、大型化が可能であり、魚業用としても使用出来るものであります。
【図面の簡単な説明】
【０００８】
【図１】本発明に係る複数の釣針のハリス、枝ハリス、幹糸を巻き取ることの出来る本体の正面図。
【図２】本体に係る側面図、
【図３】本体に係る上面図
【図４】本体に係る一部を構成する、円柱切れ目入り横穴付き糸止の部材の正面図、側面、上面図である。
【図５】本発明に係る複数釣針付き、枝ハリス、幹糸の実際の形態図である。
【図６】本発明に係る図５の実際の複数釣針付き、枝ハリス、幹糸を使用した場合の実際の糸巻の流れを明示した図面である。
【符号の説明】
【０００９】      １、釣針保管部
２、本体筒
３、はわせ部
４、幹糸、糸巻部
５、円柱切れ目、横穴付き幹糸、糸止め
６、釣針
７、枝ハリス
８、幹糸
９、スナップ
１０、幹糸先端
１１、幹糸終端
【要約】
【課題】本発明は、複数の釣針の付いた、枝ハリス、幹糸は単純な構造であるにも係らず、複数釣針、枝ハリス、幹糸セットは、糸の流れが分岐し、一本化していない為、簡単に糸巻するのが困難であった。商品として梯子型、円盤形態の物が発売されているも、釣針の保管、枝ハリス、幹糸の巻取りが今一で解決する点があり、簡単、安全に保管できる糸巻の必要があった。
【解決手段】本体は円筒、角筒、多角筒等を本体にして、本体の上部円周に釣針の保管場所として、Ｖ字型、凸凹型、山谷等の切れ込みを入れ、その下方に枝ハリスの、はわせ部を設け、更にその下の本体の一部に逆傾斜したくびれを設け、くびれに幹糸、糸巻に使用する事により、複数釣針、枝ハリス、幹糸のながれを利用し、複数の釣針、枝ハリス、幹糸の保管を可能にした糸巻きで、枝ハリスの仕様が同じ長さの物であれば有効的に使用できる固定タイプの複数釣針、枝ハリス、幹糸セットの固定式糸巻です。
【選択図】  図１【図１】
0003635286.tif 000002
【図２】
0003635286.tif 000003
【図３】
0003635286.tif 000004
【図４】
0003635286.tif 000005
【図５】
0003635286.tif 000006
【図６】
0003635286.tif 000007